(57)【要約】【課題】本発明は、チューナが１つでも裏番組情報をより正確に知ることができるデジタル放送を受信可能な情報機器を提供する。【解決手段】ネットワークで繋がれた他のデジタル放送を受信可能な情報機器からEIT[p/f]を取得し、自身が裏番組情報の取得の指示を操作された場合には、他のデジタル放送を受信可能な情報機器から取得しておいたEIT[p/f]を参照し、このEIT[p/f]対応する情報を表示する。チューナを１つしか有していなくても、ネットワークを介して、他の受信機からEIT[p/f]を受信して格納しておくことができるので、他の機器が、所望の裏番組を視聴してあれば、チャンネルを変えることなく裏番組の情報を取得し表示することができる。【選択図】図１
2009224981.tif 000002
【特許請求の範囲】
【請求項１】
ネットワークで繋がれた他のデジタル放送を受信可能な情報機器から、番組の配信に付随して送信される番組情報、を受信するデジタル放送を受信可能な情報機器。
【請求項２】
ネットワークで繋がれた他のデジタル放送を受信可能な情報機器から、番組の配信に付随して送信される番組情報、を受信するとともに格納し、所定の入力があると、前記番組情報を表示するデジタル放送を受信可能な情報機器。
【請求項３】
前記番組情報は、現在自機にて視聴していない番組の番組情報であることを特徴とする請求項１または２記載のデジタル放送を受信可能な情報機器。
【請求項４】
前記番組情報は、EIT[p/f]であることを特徴とする請求項１ないし３のいずれか一に記載のデジタル放送を受信可能な情報機器。
【請求項５】
ネットワークで繋がれた他のデジタル放送を受信可能な情報機器から、番組の配信に付随して送信される番組情報、を受信する受信手段と、
前記受信手段が受信した番組情報を記憶部に格納する格納手段と、
所定の入力があった場合に、前記記憶部を参照し、前記格納手段が格納した番組情報を取得する参照手段とを有するデジタル放送を受信可能な情報機器。
【請求項６】
前記番組情報は、現在自機にて視聴していない番組の番組情報であることを特徴とする請求項５記載のデジタル放送を受信可能な情報機器。
【請求項７】
前記番組情報は、EIT[p/f]であることを特徴とする請求項５または６記載のデジタル放送を受信可能な情報機器。
【請求項８】
デジタル放送を受信可能な情報機器に、
ネットワークで繋がれた他のデジタル放送を受信可能な情報機器から、番組の配信に付随して送信される番組情報、を受信させる受信ステップと、
前記受信ステップにて受信した番組情報を記憶部に格納する格納ステップと、
所定の入力があった場合に、前記記憶部を参照し、前記格納ステップにて格納した番組情報を取得する参照ステップとを実行させることを特徴とするプログラム。
【請求項９】
ネットワークで繋がれた他のデジタル放送を受信可能な情報機器に、番組の配信に付随して送信される番組情報、を送信するデジタル放送を受信可能な情報機器。
【請求項１０】
ネットワークで繋がれた他のデジタル放送を受信可能な情報機器に、番組の配信に付随して送信される番組情報を、前記番組情報が更新された場合に送信するデジタル放送を受信可能な情報機器。
【請求項１１】
デジタル放送を受信可能な情報機器に、
番組の配信に付随して送信される番組情報が更新されたか否かを確認する確認ステップと、
前記確認ステップにて、前記番組情報が更新されていた場合に、ネットワークで繋がれた他のデジタル放送を受信可能な情報機器に、当該番組情報、を送信させる送信ステップとを実行させることを特徴とするプログラム。
【請求項１２】
それぞれネットワークを介して接続される複数の、デジタル放送を受信可能な情報機器を有し、
前記複数の情報機器の少なくとも１つは、他の情報機器に、番組の配信に付随して送信される番組情報、を送信し、
前記複数の情報機器の少なくとも１つは、前記番組情報を受信することを特徴とする裏番組情報取得システム。
【発明の詳細な説明】
【技術分野】
【０００１】
本発明は、デジタル放送を受信可能な情報機器に関し、特に、現在視聴中以外のチャンネル（裏番組）で何が放送されているかを知ることができるデジタル放送を受信可能な情報機器に関する。
【背景技術】
【０００２】
従来より、現在視聴中以外のチャンネル以外で何が放送されているかを知るには、いくつかの方法がある。
【０００３】
第１、且つ、最も単純には、所望のチャンネルに切り替える方法が考えられる。
【０００４】
また、第２に、デジタル放送のＡＲＩＢ規格上定められているEIT(Event Information Table)[Schedule]、所謂ＥＰＧ、を参照する方法が考えられる。EIT[schedule]には、番組タイトル、放送時間等の情報が示されており、数日分の情報が示されている。
【０００５】
また、第３に、EIT[p/f(present/follow)]を自受信機の他チューナから取得する方法が考えられる。ここで、EIT[p/f]は、番組の配信と同期して送信される番組情報であり、EIT[p/f]には、その番組のタイトル等、現在の番組に関する情報と、次の番組に関する情報が示されている。
【０００６】
なお、受信機が、複数の受信機能を持つ場合、一方を番組情報取得に用いる、すなわち、上記第３の方法に相当、デジタル放送受信機が特許文献１に開示されている。
【０００７】
【特許文献１】特開２００６−２０３７４５号公報
【発明の開示】
【発明が解決しようとする課題】
【０００８】
ところで、現在視聴中以外のチャンネル以外で何が放送されているかを知るにあたり、上述の第１の方法を採用すると、当然、他チャンネルを確認中は、現在視聴中のチャンネルを見ることができないという不具合が生じる。
【０００９】
一方、上述の第２の方法を採用すると、確かに、現在視聴中のチャンネルを変更する必要はないが、EIT[schedule]では正確な裏番組情報を取得することができない。その理由は、EIT[schedule]の更新頻度は、後述するEIT[p/f]と比較し低く、例えば、野球等の生放送が状況に応じて延長された場合には、EIT[schedule]では、そのことを知ることができない場合がある。
【００１０】
また、上述の第３の方法を採用するには、どうしても複数のチューナをデジタル放送受信機に搭載する必要がある。その理由は、所望の裏番組のチャンネルのEIT[p/f]を取得するには、そのチャンネルに合わせなければならないからである。もちろん、１つのチューナでチャンネルを切り替え、EIT[p/f]を取得してもよいが、これでは、上記第１の方法と同じ不具合が生じてしまう。
【００１１】
そこで、本発明は、チューナが１つでも裏番組情報をより正確に知ることができるデジタル放送を受信可能な情報機器を提供することを目的とする。
【課題を解決するための手段】
【００１２】
本発明の第１のデジタル放送を受信可能な情報機器は、ネットワークで繋がれた他のデジタル放送を受信可能な情報機器から、番組の配信に付随して送信される番組情報、を受信する。
【００１３】
本発明の第２のデジタル放送を受信可能な情報機器は、ネットワークで繋がれた他のデジタル放送を受信可能な情報機器から、番組の配信に付随して送信される番組情報、を受信するとともに格納し、所定の入力があると、前記番組情報を表示する。
【００１４】
本発明の第３のデジタル放送を受信可能な情報機器は、ネットワークで繋がれた他のデジタル放送を受信可能な情報機器から、番組の配信に付随して送信される番組情報、を受信する受信手段と、前記受信手段が受信した番組情報を記憶部に格納する格納手段と、所定の入力があった場合に、前記記憶部を参照し、前記格納手段が格納した番組情報を取得する参照手段とを有する。
【００１５】
本発明の第４のデジタル放送を受信可能な情報機器は、ネットワークで繋がれた他のデジタル放送を受信可能な情報機器に、番組の配信に付随して送信される番組情報、を送信する。
【００１６】
本発明の第５のデジタル放送を受信可能な情報機器は、ネットワークで繋がれた他のデジタル放送を受信可能な情報機器に、番組の配信に付随して送信される番組情報を、前記番組情報が更新された場合に送信する。
【００１７】
本発明の第１のプログラムは、デジタル放送を受信可能な情報機器に、ネットワークで繋がれた他のデジタル放送受信機から、番組の配信に付随して送信される番組情報、を受信させる受信ステップと、前記受信ステップにて受信した番組情報を記憶部に格納する格納ステップと、所定の入力があった場合に、前記記憶部を参照し、前記格納ステップにて格納した番組情報を取得する参照ステップとを実行させる。
【００１８】
本発明の第２のプログラムは、デジタル放送を受信可能な情報機器に、番組の配信に付随して送信される番組情報が更新されたか否かを確認する確認ステップと、前記確認ステップにて、前記番組情報が更新されていた場合に、ネットワークで繋がれた他のデジタル放送を受信可能な情報機器に、当該番組情報、を送信させる送信ステップとを実行させる。
【発明の効果】
【００１９】
本発明によれば、チューナが１つでも裏番組情報をより正確に知ることができるデジタル放送を受信可能な情報機器を提供することができる。
【発明を実施するための最良の形態】
【００２０】
以下、図面を参照して本発明を実施するための最良の形態について説明する。まず、本実施の形態の概略を簡単に説明すると、本実施の形態のデジタル放送受信機は、ネットワークで繋がれた他のデジタル放送受信機からEIT[p/f]を取得し、自身が裏番組情報の取得の指示を操作等された場合には、他のデジタル放送受信機から取得しておいたEIT[p/f]を参照し、このEIT[p/f]対応する情報を表示する。以下、詳細に説明する。
【００２１】
図１は、裏番組情報取得システムのブロック図である。図１を参照すると、デジタル放送受信機１０は、デジタル放送受信機２０と例えば宅内のネットワークで接続されている。各々のデジタル放送受信機は後述する同じ機能を有している。また、同図ではデジタル放送受信機は２つであるが、台数に制限はない。むしろ、台数が増す程、本実施の形態によって得られる効果が増す。
【００２２】
図１を参照すると、デジタル放送受信機１０の主要部は、制御部１１、及び、記憶部１２を有する。また、制御部１１は、EIT[p/f]取得手段１３、EIT[p/f]配信手段１４、EIT[p/f]受信手段１５、EIT[p/f]格納手段１６、裏番組情報取得受付手段１７、EIT[p/f]参照手段１８、及び、裏番組情報表示手段１９を有する。
【００２３】
次に、本実施の形態のデジタル放送受信機の動作を説明する。
【００２４】
図２は、本実施の形態のデジタル放送受信機のEIT[p/f]を配信する動作を説明するためのフローチャートである。
【００２５】
図２を参照すると、デジタル放送受信機１０のEIT[p/f]取得手段１３は、デジタル放送波から現在視聴中の番組に対応するEIT[p/f]を取得し（ステップＳ１）、EIT[p/f]配信手段１４は、取得したEIT[p/f]をデジタル放送受信機２０に送信する（ステップＳ２）。この頻度、すなわち、EIT[p/f]の取得、送信の頻度は、任意に定めてよいし、EIT[p/f]が更新されたか否かを判断し、更新された場合（同じ番組での更新、及び、チャンネルの切り替え等）のみ送信するようにしてもよい。また、他の受信機からの要求があった場合に送信するようにしてもよい。
【００２６】
なお、ステップＳ１及びＳ２の動作は、他のデジタル放送受信機、ここでは、デジタル放送受信機２０も行う。なお、EIT[p/f]の送信方法は、ユニキャスト方式でもマルチキャスト方式でもよい。
【００２７】
また、自受信機が、送ろうとしているEIT[p/f]と同じEIT[p/f]を既に他の受信機（例えば受信機２０）から受け取っている場合には、その受信機（２０）に対しては送らないよう制御してもよい。その理由は、デジタル放送受信機２０はそのEIT[p/f]を取得可能な状態にある、すなわち、まさにそのEIT[p/f]に対応する番組を視聴していることが多いに考えられるからである。
【００２８】
さらに、ステップＳ２と同じタイミングで、EIT[p/f]格納手段１６は、送信するEIT[p/f]を記憶部１２に格納してもよい。こうしておくことで、デジタル放送受信機１０は、多くのEIT[p/f]を格納することができる。
【００２９】
図３は、本実施の形態のデジタル放送受信機のEIT[p/f]を受信する動作を説明するためのフローチャートである。
【００３０】
図３を参照すると、デジタル放送受信機１０のEIT[p/f]受信手段１５は、例えばデジタル放送受信機２０から送信されてきたEIT[p/f]を受信し（ステップＴ１）、EIT[p/f]格納手段は、記憶部１２に格納する（ステップＴ２）。このようにして、デジタル放送受信機１０や他のデジタル放送受信機は、自身が視聴していないチャンネル（番組）のEIT[p/f]を、チューナの周波数を変えることなく知ることができる。
【００３１】
図４は、本実施の形態のデジタル放送受信機の裏番組情報を表示する動作を説明するためのフローチャートである。
【００３２】
図４を参照すると、デジタル放送受信機１０の裏番組情報取得受付手段１７が、裏番組情報の取得指示を例えば操作者から受けると（ステップＵ１）、EIT[p/f]参照手段１８は、その裏番組のチャンネルに対応するEIT[p/f]を、記憶部１２から取得し（ステップＵ２）、取得した裏番組情報表示手段１９が画面等に表示する（ステップＵ３）。なお、EIT[p/f]には、チャンネル情報（service_id）が記述されているので、チャンネルから所望のEIT[p/f]を取得できる。
【００３３】
以上説明したように、本実施の形態によれば、チューナを１つしか有していないデジタル放送受信機であっても、ネットワークを介して、他のデジタル放送受信機からEIT[p/f]を受信して格納しておくことができるので、他のデジタル放送受信機が、所望の裏番組を視聴してあれば、裏番組の情報の取得の指示を受けたデジタル放送受信機は、チャンネルを変えることなく裏番組の情報を取得し表示することができる。
【００３４】
なお、以上説明した実施の形態では、複数のデジタル放送受信機それぞれが、他の受信機から受信したEIT[p/f]を記憶部に格納していたが、１つのデジタル放送受信にEIT[p/f]を集めることも考えられる。このようにすれば、全てのデジタル放送受信機が記憶部を有さなくてすみ、裏番組情報の取得の指示を受けた受信機は、EIT[p/f]を格納する受信機に問い合わせることにより、所望のEIT[p/f]を得る、すなわち、裏番組情報を取得することができる。
【００３５】
以上説明した実施の形態は、デジタル放送受信機が家庭などに複数設置されるようになった近年、裏番組の情報の取得に非常に効果的である。
【図面の簡単な説明】
【００３６】
【図１】裏番組情報取得システムのブロック図である。
【図２】EIT[p/f]を配信する動作を説明するためのフローチャートである。
【図３】EIT[p/f]を受信する動作を説明するためのフローチャートである。
【図４】裏番組情報を表示する動作を説明するためのフローチャートである。
【符号の説明】
【００３７】
１０  デジタル放送受信機
１１  制御部
１２  記憶部
１３  EIT[p/f]取得手段
１４  EIT[p/f]配信手段
１５  EIT[p/f]受信手段
１６  EIT[p/f]格納手段
１７  裏番組情報取得受付手段
１８  EIT[p/f]参照手段
１９  裏番組情報表示手段
２０  デジタル放送受信機
【図１】
2009224981.tif 000003
【図２】
2009224981.tif 000004
【図３】
2009224981.tif 000005
【図４】
2009224981.tif 000006